(57)【要約】      （修正有）【課題】モップ本体の交換、角度調整機能を具え、懸吊に便利な水槽用モップの提供。【解決手段】ハンドル２１、固定座２２、モップシート２３で構成され、ハンドルの一端に、円弧形歯列２１２を具えた枢設ブロック２１１が設けられてそれが固定座と相互に枢設され、並びに固定座の凸歯２２３と相互に噛み合い、角度の調整に供され、また固定座の両側にガイドレール２２４が設けられ、モップ本体２３３を具えたモップシートと係合され、擦洗に供され、別にハンドルの中段にフック板２１５が設けられて水槽の任意の壁面に係止可能で、随時使用でき便利とされ、以上の構造により、周知の掃除用モップにおける、ハンドルとモップ本体を使用者の必要に応じて適宜角度に調整できず、異なる材質のモップ本体に交換して異なる材質の水槽に対して掃除を行なうことができない欠点を解決する。【選択図】図３
0003107441.tif 000002
【実用新案登録請求の範囲】
【請求項１】
ハンドルと固定座を具え、
該ハンドルはロッドとされ、その一端に枢設ブロックが設けられ、該枢設ブロックの外側に円弧形歯列が設けられ、
該固定座は該ハンドルの一端に取り付けられ、その底部にモップ本体が結合され固定座が枢設部を具えて該枢設ブロックと相互に枢設され、並びに該円弧形歯列に対応する位置に凸歯が設けられ、該凸歯が円弧形歯列と噛み合い、使用者の必要により噛合点を改変して角度調整を達成できることを特徴とする、水槽用モップ。
【請求項２】
請求項１記載の水槽用モップにおいて、ハンドルのロッドの中段に枢軸が設けられてフック板の嵌合孔が嵌合され、該フック板の一端にフックブロックが設けられて該フック板と夾角を形成することを特徴とする、水槽用モップ。
【請求項３】
ハンドル、固定座及びモップシートを具え、
該ハンドルはロッドとされ、その一端に枢設ブロックが設けられ、該枢設ブロックの外側に円弧形歯列が設けられ、
該固定座は該ハンドルの一端に取り付けられ、該固定座は枢設部を具えて該枢設ブロックに枢設され、並びに該円弧形歯列に対応する位置に凸歯が設けられ、該凸歯が円弧形歯列と噛み合い、使用者の必要により噛合点を改変して角度調整を達成し、
該モップシートは、該固定座に係合され、その底面にモップ本体が設けられたことを特徴とする、水槽用モップ。
【請求項４】
請求項３記載の水槽用モップにおいて、固定座の両側にガイドレールが設けられてモップシートの両内側の嵌合溝の嵌合、導入に供されることを特徴とする、水槽用モップ。
【請求項５】
請求項３記載の水槽用モップにおいて、ハンドルのロッドの中段に枢軸が設けられてフック板の嵌合孔が嵌合され、該フック板の一端にフックブロックが設けられて該フック板と夾角を形成することを特徴とする、水槽用モップ。
【考案の詳細な説明】
【技術分野】
【０００１】
本考案は鑑賞魚或いは水生動植物用水槽の掃除用モップに係り、モップ本体の交換、角度調整機能を具え、懸吊に便利な水槽用モップに関する。
【背景技術】
【０００２】
図１は周知の水槽用モップ１の外観図である。それは、モップシート１１にハンドル１２が連設され、該モップシート１１の底部にモップ本体１３が接着され、ハンドル１２の後端に貫通孔１４が設けられてなる。使用時には、手でハンドル１２を持ち、モップ本体１３を水槽の壁面に当接させて、掃除を行なう。
【考案の開示】
【考案が解決しようとする課題】
【０００３】
周知の水槽用モップ１は、そのモップシート１１とハンドル１２が一体に連設され、該モップ本体１３もまたモップシート１１に接合されているため、使用時に使用者の必要に応じてモップ本体１３の角度を改変できず、水槽の比較的よく汚れた部分を掃除する時には大きな力が必要となる。また、モップ本体１３は単一の材料（スポンジ或いは布）で形成されているため、水槽の材質（例えばガラス、アクリル等）によっては適合しないものもあり、且つ使用回数が増してモップ本体１３が損壊すると、モップシート１１とハンドル１２は一体に形成されているため、全体を廃棄しなければならず、浪費を形成する。更に、モップ使用完了後に、固定場所に放置して随時使用できるようにし、再使用時に置き場所が分からなくなる状況を防止するため、一般的な方法としては、壁に釘を打ち、モップをそれに設けた貫通孔で懸吊るが、これは壁面を破壊し、また見た目が悪い。
【０００４】
上述の欠点を鑑み、本考案は、モップ本体の交換と、角度調整機能とを具えた水槽用モップを提供する。それは、ハンドル、固定座、モップシートで構成され、ハンドルの一端に、枢設ブロックが設けられ、該枢設ブロックの外側に円弧形歯列が設けられ、両側に凸柱が設けられて固定座の枢設部と相互に枢設され、該固定座にあって該円弧形歯列に対応する位置に凸歯が設けられて円弧形歯列と相互に噛み合い並びに角度調整に供される。また、固定座の両側にそれぞれガイドレールが設けられて、モップ本体を具えたモップシートがその嵌合溝で該ガイドレールに係合し、これにより異なる材質のモップ本体に交換可能とされている。
【０００５】
本考案はまたハンドルの中段に枢軸が設けられてフック板が枢設され、該フック板が水槽の任意の壁面への係止に供され、使用に便利で別に釘或いはフックを打つ事で壁面を破壊することがないものとされる。
【０００６】
また、本考案の固定座の底部には直接モップ本体が結合されて、これにより本考案は最も簡単な構成部品により、掃除角度調整機能を具備するものとされる。
【０００７】
本考案の目的は、円弧形歯列と凸歯によりハンドルと固定座の角度を改変して、使用者の必要に応じてモップ本体を適宜調整できるようにし、よく汚れた部分の擦洗に便利とし、また、ガイドレールと嵌合溝の組合せにより、水槽の材質に応じて異なるモップ本体に交換できるようにし、また、モップ本体が損壊した時には別のモップシートに交換するだけでよいものとし、これによりモップ購入の費用を節約できるようにすることにある。
【課題を解決するための手段】
【０００８】
請求項１の考案は、ハンドルと固定座を具え、
該ハンドルはロッドとされ、その一端に枢設ブロックが設けられ、該枢設ブロックの外側に円弧形歯列が設けられ、
該固定座は該ハンドルの一端に取り付けられ、その底部にモップ本体が結合され固定座が枢設部を具えて該枢設ブロックと相互に枢設され、並びに該円弧形歯列に対応する位置に凸歯が設けられ、該凸歯が円弧形歯列と噛み合い、使用者の必要により噛合点を改変して角度調整を達成できることを特徴とする、水槽用モップとしている。
請求項２の考案は、請求項１記載の水槽用モップにおいて、ハンドルのロッドの中段に枢軸が設けられてフック板の嵌合孔が嵌合され、該フック板の一端にフックブロックが設けられて該フック板と夾角を形成することを特徴とする、水槽用モップとしている。
請求項３の考案は、ハンドル、固定座及びモップシートを具え、
該ハンドルはロッドとされ、その一端に枢設ブロックが設けられ、該枢設ブロックの外側に円弧形歯列が設けられ、
該固定座は該ハンドルの一端に取り付けられ、該固定座は枢設部を具えて該枢設ブロックに枢設され、並びに該円弧形歯列に対応する位置に凸歯が設けられ、該凸歯が円弧形歯列と噛み合い、使用者の必要により噛合点を改変して角度調整を達成し、
該モップシートは、該固定座に係合され、その底面にモップ本体が設けられたことを特徴とする、水槽用モップとしている。
請求項４の考案は、請求項３記載の水槽用モップにおいて、固定座の両側にガイドレールが設けられてモップシートの両内側の嵌合溝の嵌合、導入に供されることを特徴とする、水槽用モップとしている。
請求項５の考案は、請求項３記載の水槽用モップにおいて、ハンドルのロッドの中段に枢軸が設けられてフック板の嵌合孔が嵌合され、該フック板の一端にフックブロックが設けられて該フック板と夾角を形成することを特徴とする、水槽用モップとしている。
【考案の効果】
【０００９】
本考案は、円弧形歯列と凸歯によりハンドルと固定座の角度を改変して、使用者の必要に応じてモップ本体を適宜調整でき、よく汚れた部分の擦洗に便利であり、また、ガイドレールと嵌合溝の組合せにより、水槽の材質に応じて異なるモップ本体に交換でき、また、モップ本体が損壊した時には別のモップシートに交換するだけでよく、これによりモップ購入の費用を節約できる。
【考案を実施するための最良の形態】
【００１０】
図２、３に示されるように、本考案は、ハンドル２１、固定座２２、及びモップシート２３で構成されている。
【００１１】
該ハンドル２１は、そのロッド２１０部分が手部による握持に供され、その一端に枢設ブロック２１１がモップシート、該枢設ブロック２１１の外側に円弧形歯列２１２が設けられ、両側にそれぞれ凸柱２１３が凸設され、ハンドル２１の別端に貫通孔２１６が設けられ、ロッド２１０の中段部分に枢軸２１４が設けられ、フック板２１５の嵌合孔２１５１と嵌合され、該フック板２１５の一端にフックブロック２１５２が設けられ、該フックブロック２１５２はフック板２１５と夾角を形成して水槽の任意の壁面に係止可能とされる。
【００１２】
該固定座２２は、ハンドル２１の一端に固定され、それは、該枢設ブロック２１１と枢設される枢設部２２１を具え、該枢設部２２１の両側に枢設孔２２２が設けられて凸柱２１３と嵌合され、並びに該円弧形歯列２１２に対応する位置に凸歯２２３が設けられ、該凸歯２２３が円弧形歯列２１２と噛み合い、並びに該凸歯２１３を支点として該ハンドル２１と固定座２２が一定角度の回転可能とされ、別に固定座２２の両側にガイドレール２２４が設けられ、並びにその上に切欠き２２５が設けられ、且つ固定座２２の前端に溝２２６が設けられてワイパ片２２７が挿入、係止され、苔の削ぎ取りに供される。
【００１３】
モップシート２３は、該固定座２２に係合され、その底面にモップ本体２３３が接着されて擦洗に供され、その両内側に嵌合溝２３１が設けられて固定座２２のガイドレール２２４の嵌合に供され、且つ該嵌合溝２３１の上端に係止歯２３２が設けられ、該ガイドレール２２４の切欠き２２５と相互に係合し、その係止によりモップシート２３が固定座２２に固定される。
【００１４】
以上の部品で構成され、該ハンドル２１が枢設ブロック２１１により固定座２２の枢設部２２１に枢設され、並びに凸柱２１３を支点とし、使用者が必要に応じて該ハンドル２１に上向き或いは下向きに施力することで、一定範囲内の角度調整の回転を行ない、これにより円弧形歯列２１２と凸柱２１３の噛合点を改変し、該円弧形歯列２１２と凸柱２１３はプラスチック材料で形成されているため、大きな回転力を受ける時、その噛合点が改変し、角度の改変を達成し、並びに位置制限を行なうことができる（図４参照）。
【００１５】
また、モップ本体２３３を交換したい時は、モップシート２３を外側に向けて押動させて、係止歯２３２と固定座２２の切欠き２２５を離脱させ、更にモップシート２３を外側に向けてスライドさせてガイドレール２２４より離脱させ、並びに該固定座２２と分離させれば（図５、６参照）、別のモップシートに交換できる。
【００１６】
更に、図７に示されるように、本考案は水槽用モップ２を固定場所に放置して随時使用できるようにして便利とするために、ロッド２１０の中段に枢軸２１４が設けられ、フック板２１５の嵌合孔２１５１と嵌合され、該フック板２１５の一端にフックブロック２１５２が設けられ、それがフック板２１５と夾角を形成し、水槽３の壁面に係止可能とされている。
【００１７】
更に、異なる材質の水槽（例えばガラス、アクリル等）に適用するため、モップ本体は適度に交換して（例えばスポンジ、布製のもの）、これによりきれいに掃除できなかったり或いは水槽を傷つけるのを防止する必要がある。ゆえに本考案はそのモップシート２３のモップ本体２３３を比較的硬い材質の布材とし、傷がつきにくいガラス材質の水槽の掃除用としてきれいに掃除できる効果を達成する。
【００１８】
総合すると、本考案は周知の水槽用モップの使用上の欠点を改善し、多機能を具え使用に便利な水槽用モップを提供しており、それは実用性、進歩性、及び産業上の利用価値を有する考案である。
【図面の簡単な説明】
【００１９】
【図１】周知の水槽用モップの外観図である。
【図２】本考案の水槽用モップの外観図である。
【図３】本考案の水槽用モップの分解図である。
【図４】本考案の角度調整操作表示図である。
【図５】本考案のモップシート交換操作表示図である。
【図６】図５のＩ−Ｉ断面図である。
【図７】本考案を水槽に係止した状態表示図である。
【符号の説明】
【００２０】
１  水槽用モップ
１１  モップシート                １２  ハンドル
１３  モップ本体                  １４  貫通孔
２  水槽用モップ                  ２１  ハンドル
２１０  ロッド                    ２１１  枢設ブロック
２１２  円弧形歯列                ２１３  凸柱
２１４  枢軸                      ２１５  フック板
２１５１  嵌合孔                  ２１５２  フックブロック
２１６  貫通孔                    ２２  固定座
２２１  枢設部                    ２２２  枢設孔
２２３  凸歯                      ２２４  ガイドレール
２２５  切欠き                    ２２６  溝
２２７  ワイパ片                  ２３  モップシート
２３１  嵌合溝                    ２３２  係止歯
２３３  モップ本体
【図１】
0003107441.tif 000003
【図２】
0003107441.tif 000004
【図３】
0003107441.tif 000005
【図４】
0003107441.tif 000006
【図５】
0003107441.tif 000007
【図６】
0003107441.tif 000008
【図７】
0003107441.tif 000009